(57)【特許請求の範囲】
【請求項１】
装置の鏡筒内部で移動が可能な合焦用光学手段を有し、撮影画面内の合焦対象領域の映像信号に基づいて前記合焦用光学手段を自動的に駆動し、合焦状態に制御する自動合焦レンズ装置において、
前記鏡筒の外側に配設され、前記鏡筒の光軸に直交する方向へ移動可能な第一の操作部材と、
前記第一の操作部材の移動を検出する第一の検出手段と、
前記鏡筒の外側に配設され、前記鏡筒の光軸を中心として回転可能な第二の操作部材と、
前記第二の操作部材の回転を検出する第二の検出手段と、
前記第一の検出手段の信号に基づいて、前記合焦対象領域を前記第一の操作部材の移動方向に移動させ、且つ、前記第二の検出手段の信号に基づいて、前記合焦対象領域の大きさを変更する制御手段とを備えたことを特徴とする自動合焦レンズ装置。
【請求項２】
前記第一の操作部材が前記第二の操作部材の内側に配置されており、
前記第一の操作部材と前記第二の操作部材は一体として光軸に直交する方向へ移動可能であることを特徴とする請求項１に記載の自動合焦レンズ装置。
【請求項３】
前記第二の操作部材の一方向への回転移動により前記合焦対象領域を拡大し、前記第二の操作部材の他方向への回転移動により前記合焦対象領域を縮小することを特徴とする請求項１又は２に記載の自動合焦レンズ装置。
【請求項４】
前記第一の操作部材及び前記第二の操作部材は光軸を中心とする環状又は円弧状形状としたことを特徴とする請求項１乃至３のいずれか１項に記載の自動合焦レンズ装置。
【請求項５】
前記合焦対象領域を予め設定した設定領域に変更するスイッチ手段を備えたことを特徴とする請求項１乃至４のいずれか１項に記載の自動合焦レンズ装置。
【請求項６】
前記設定領域を任意に変更するための設定手段を備えたことを特徴とする請求項５に記載の自動合焦レンズ装置。
【請求項７】
装置起動時における前記合焦対象領域を任意に変更するための設定手段を備えたことを特徴とする請求項１乃至６のいずれか１項に記載の自動合焦レンズ装置。
【請求項８】
装置休止時に直前の前記合焦対象領域を記憶する記憶手段を備え、装置再起動時に前記合焦対象領域を引き継いで復帰することを特徴とする請求項１乃至７のいずれか１項に記載の自動合焦レンズ装置。
【請求項９】
前記合焦対象領域の変更をビューファインダに表示することを特徴とする請求項１乃至８のいずれか１項に記載の自動合焦レンズ装置。
【請求項１０】
請求項１乃至９のいずれか１項に記載の自動合焦レンズ装置と、前記自動合焦レンズ装置が接続される撮像装置とを有することを特徴とするカメラシステム。
【発明の詳細な説明】
【技術分野】
【０００１】
本発明は、自動合焦レンズ装置及びその自動合焦レンズ装置がテレビカメラ等の撮像装置に接続されてなるカメラシステムに関するものである。
【背景技術】
【０００２】
図１１は、テレビカメラに装着されるレンズ装置の一般的な使用形態である。撮影者Ｐがテレビカメラ１を肩に担ぎ、レンズ装置の鏡筒２に取り付けられているグリップ部３を右手で保持し、鏡筒２の外周に回転自在に設けられた操作リングを左手で操作する。
【０００３】
図１２は代表的なレンズ装置の平面図を示し、レンズ装置の鏡筒２の内部には図示しない合焦用レンズ群や変倍用レンズ群や絞りなどが内蔵されている。鏡筒２の外周に設けられた操作リングであるフォーカスリング４、ズームリング５、アイリスリング６を回転することにより、合焦具合や倍率や光量などの調節を行うことができる。グリップ部３は操作リングを電動駆動するための図示しない駆動モータと、これらの駆動モータを制御する図示しない制御回路とを内部に備えている。また、グリップ部３の表面には制御回路に指令を与えるズーム操作スイッチ７、アイリス操作スイッチ８、リターンスイッチ９及び録画の開始／停止を指示するＶＴＲスイッチ等が配設されており、それぞれ右手の指で操作するようになっている。
【０００４】
自動合焦レンズ装置においては、レンズ装置又はテレビカメラの内部に設けられた演算手段を用いて、撮影画面の映像信号から合焦の度合いを判定する。この合焦の度合いに応じて、レンズ装置の内部に備えられた駆動手段により合焦用レンズ群を所望の位置に制御することにより、自動的に合焦状態を得ることができる。
【０００５】
なお、自動合焦レンズ装置を用いた撮影時にも、手動合焦による撮影から自動合焦による撮影へ瞬時に切換える場合において、フォーカスリング４を左手で回転する合焦操作を欠かすことはできない。この他にも、自動合焦機能を補助的に利用する場合、撮影者の意図とは異なる被写体に合焦してしまった場合、映像効果として意図的に焦点をずらしたい場合等に、フォーカスリング４を操作することがある。
【０００６】
一方、撮影画面の映像信号から合焦の度合いを判定する方式には、所謂コントラスト検出法や位相差検出法など幾つかの方式があるが、何れの場合にも一般的に、撮影画面内の合焦対象領域の映像信号に基づいて合焦の度合いを判定している。この合焦対象領域が撮影画面の中央に固定されていると、撮影画面の中央から離れた被写体に対して合焦させることができず、必然的に焦点を合わすべき被写体を画面中央に配した構図に撮影条件が限定されることとなる。従って、撮影画面内の任意の被写体に合焦させるために、合焦対象領域を被写体に応じた位置及び大きさに変更することができれば便利である。
【０００７】
これに対し、テレビカメラに設けたトラックボールやジョイスティック、タッチパネルを備えたビューファインダ等により合焦対象領域を撮影者が操作し、所望の位置及び大きさに変更できるようにしたものが、例えば特許文献１に開示されている。
【０００８】
また、特許文献２には、レンズ装置の鏡筒に設けたコマンドリングをフォーカスエリアセレクトリングとして使用することが記載されている。コマンドリングは光軸を中心とした左右両方向にエンドレスで回転することができ、所定の回転角度ごとに回転位置が仮固定されるクリックストップが設けられている選択項目操作部である。コマンドリングからは回転方向と回転量（クリックストップをいくつ超えたか）の情報がレンズ内のＣＰＵへ伝えられる。
【特許文献１】特開平６−１４１２２６号公報
【特許文献２】特開２００３−１７７２９４号公報
【発明の開示】
【発明が解決しようとする課題】
【０００９】
前述のように、撮影時には撮影者は右手でグリップ部３を支持すると共に、複数のスイッチ類の操作を行うため、合焦対象領域を変更する操作は左手で行う必要がある。しかし、レンズ装置以外に操作手段を設けた特許文献１のような従来の構成で合焦対象領域を変更する操作を行った場合には、左手をフォーカスリング４から完全に離さなければならない。このため、前述のような撮影中の手動による合焦具合の操作に支障をきたし、円滑な撮影を行うことが難しい。
【００１０】
また、特許文献２の構成によれば、左手をフォーカスリングから完全に離さなくても合焦対象領域を選択することができるが、コマンドリングの回転による選択項目操作であるから、合焦対象領域を所望の位置に素早く移動させることが難しい。特に動画を撮影するテレビカメラに装着される自動合焦レンズ装置においては、合焦対象領域の移動中も撮影が継続されるため、合焦対象領域の候補を順次選択操作するのでなく、合焦領域を所望の位置へ直接的に移動させる必要があるため問題となる。
【００１１】
本発明の目的は、上述の問題点を解消し、操作部材によって合焦対象領域の位置や大きさ等を変更することができる自動合焦レンズ装置を提供することにある。
【課題を解決するための手段】
【００１２】
本発明の自動合焦レンズ装置は、装置の鏡筒内部で移動が可能な合焦用光学手段を有し、撮影画面内の合焦対象領域の映像信号に基づいて前記合焦用光学手段を自動的に駆動し、合焦状態に制御する自動合焦レンズ装置に関する。
【００１３】
前記鏡筒の外側に配設され、前記鏡筒の光軸に直交する方向へ移動可能な第一の操作部材と、前記第一の操作部材の移動を検出する第一の検出手段と、前記鏡筒の外側に配設され、前記鏡筒の光軸を中心として回転可能な第二の操作部材と、前記第二の操作部材の回転を検出する第二の検出手段と、前記第一の検出手段の信号に基づいて、前記合焦対象領域を前記第一の操作部材の移動方向に移動させ、且つ、前記第二の検出手段の信号に基づいて、前記合焦対象領域の大きさを変更する制御手段とを備えたことを特徴とする。
【００１４】
また本発明のカメラシステムは、上記の自動合焦レンズ装置と、該自動合焦レンズ装置が接続される撮像装置とを有することを特徴とする。
【発明の効果】
【００１５】
本発明に係る自動合焦レンズ装置によれば、鏡筒の外周に配設された操作部材を操作することで、合焦対象領域の位置や大きさ等を容易に変更することができるため、円滑な撮影を行うことができる。また、操作部材により合焦対象領域を所望の位置へ直接的に移動させることができるため、合焦対象領域の候補を順次選択する場合に比べて素早く操作することができる。このような自動合焦レンズ装置をテレビカメラ等の撮像装置に接続してなる本発明のカメラシステムによれば、操作部材により合焦対象領域を所望の位置へ直接的に移動させることができる。このため、合焦対象領域を順次選択移動させたときのような映像の乱れを生じさせることもない。
【発明を実施するための最良の形態】
【００１６】
本発明を図１〜図１０に図示の参考例及び実施例に基づいて詳細に説明する。
【００１７】
（参考例）
図１は参考例の平面図である。レンズ装置の固定鏡筒１１の外周には、フォーカスリング１２とズームリング１３が設けられており、これらのフォーカスリング１２とズームリング１３の間には、鏡筒１１を周設する円環状の操作部材１４が配設されている。鏡筒１１の側部にはグリップ部１５が固定され、このグリップ部１５にはズーム操作スイッチ１６、アイリス操作スイッチ１７、リターンスイッチ１８が設けられている。
【００１８】
鏡筒１１とグリップ部１５は連結しているため、グリップ部１５を右手で保持した撮影時には、鏡筒１１の姿勢は固定される。フォーカスリング１２は鏡筒１１に周設され、光軸Ｏを中心として自動及び手動による回転が可能とされている。このフォーカスリング１２を回転操作することにより、鏡筒１１の内部の図示しない合焦用レンズ群が光軸方向に移動する構造となっている。
【００１９】
ズームリング１３も鏡筒１１に周設されており、光軸Ｏを中心とした回転方向への摺動が可能となっており、回転操作により鏡筒１１内の変倍用レンズ群が光軸方向に移動する構造とされている。操作部材１４は光軸Ｏを中心とする若干の回動と、光軸Ｏと直交する方向への若干の移動が可能とされている。
【００２０】
図２は操作部材１４に係る要部を被写体側から見た横断面図であり、鏡筒１１と操作部材１４間の例えば鏡筒１１の４個所には、４組の円弧状の板ばね１９ａ〜１９ｄと接触スイッチ２０ａ〜２０ｄがそれぞれ設置されている。
【００２１】
図３は要部の縦断面図、図４は図２の一部の拡大図である。操作部材１４の光軸Ｏと同方向には円柱状の突部２１ａ〜２１ｄが設けられている。鏡筒１１の光軸Ｏと直交する面にはこの突部２１ａ〜２１ｄを収容する十字型の十字溝２２ａ〜２２ｄが設けられている。また板ばね１９ａ〜１９ｄは係止部２３ａ〜２３ｄにより係止されている。板ばね１９ａ〜１９ｄは円弧状の湾曲部の頂上で操作部材１４の内径部に対し外径方向に付勢している。
【００２２】
十字溝２２ａ〜２２ｄは突部２１ａ〜２１ｄのガイドとして働くため、操作部材１４は光軸Ｏに対して直交する平面内において、十字溝２２ａ〜２２ｄに沿った若干の移動以外の動きが規制されている。接触スイッチ２０ａ〜２０ｄは操作部材１４の内径部に近接し、操作部材１４の内径方向への移動を検知している。
【００２３】
このような構造により、操作部材１４を撮影者の視点の上方から押圧すると、操作部材１４は鏡筒１１に対して相対的に下方に移動し、操作部材１４の内径部が接触スイッチ２０ａを押圧し、接触スイッチ２０ａはオンとなる。操作部材１４への押圧力を解除すると、板ばね１９ａの復元力により操作部材１４は中立位置に復帰し接触スイッチ２０ａはオフとなる。同様に、操作部材１４を撮影者視点の左方から押圧すると接触スイッチ２０ｂがオン、下方から押圧すると接触スイッチ２０ｃがオン、右方から押圧すると接触スイッチ２０ｄがオンとなる。
【００２４】
図５は電気的ブロック構成図である。自動合焦による撮影を行う際に、被写体像は合焦用レンズ群３１を含むレンズ系を経て撮像素子３２に結像される。この撮像素子３２の映像信号は、ＡＦ回路３３、画像処理部３４にそれぞれに接続されている。操作部材１４の操作を検出する接触スイッチ２０ａ〜２０ｄの出力は領域制御回路３５を経てＡＦ回路３３、画像処理部３４に接続され、画像処理部３４の出力はビューファインダ３６に接続されている。また、ＡＦ回路３３の出力は駆動装置３７を経て合焦用レンズ群３１に接続されている。
【００２５】
接触スイッチ２０ａ〜２０ｄの出力に基づいて、合焦の度合いを評価する撮影画面内の合焦対象領域の変更量が領域制御回路３５で演算され、領域制御回路３５からの合焦対象領域情報はＡＦ回路３３に伝達される。
【００２６】
ここで図６に示すように、領域制御回路３５は、接触スイッチ２０ａがオンとなると、ビューファインダ３６の撮影画面内の合焦対象領域Ｓを下方にΔｙ移動させる演算を行なう。同様に、接触スイッチ２０ｂがオンとなると合焦対象領域Ｓを右方にΔｘ移動させ、接触スイッチ２０ｃがオンとなると合焦対象領域Ｓを上方にΔｙ移動させ、接触スイッチ２０ｄがオンとなると合焦対象領域Ｓを左方にΔｘ移動させる。
【００２７】
ＡＦ回路３３では、撮影画面内の合焦対象領域Ｓの映像信号について合焦の度合いを判定し、合焦用レンズ群３１を駆動する駆動装置３７に合焦状態を得るための制御信号を送る。また、撮像素子３２からの映像信号と領域制御回路３５からの合焦対象領域情報は、テレビカメラ内部の画像処理部３４にも伝えられ、ビューファインダ３６上に撮影画面の映像と図６に示す合焦対象領域Ｓを表示する。
【００２８】
本参考例の自動合焦レンズ装置を使用する場合には、従来と同様に、レンズ装置を装着したテレビカメラを右肩に担ぎ、右手でレンズ装置のグリップ部１５を保持し、ビューファインダ３６の表示映像を見ながら撮影を行う。
【００２９】
左手で操作部材１４を鏡筒１１に対して、例えば撮影者視点の左方へ平行移動させると、ビューファインダ３６上に表示されている合焦対象領域Ｓは画面上で左方にΔｘ移動し、移動後の合焦対象領域Ｓについて合焦するように合焦用レンズ群３１を制御する。操作部材１４への操作力を一旦解除し、再び操作部材１４を撮影者視点の左方に移動させると、合焦対象領域Ｓは更に画面の左方にΔｘ移動する。
【００３０】
このように、撮影者は左手で操作部材１４を保持し、撮影者視点における上下左右の任意方向に繰り返し付勢及び付勢解除することにより、撮影画面内の任意の位置に合焦対象領域Ｓを移動させてその合焦対象領域Ｓに対し合焦状態を得ることができる。
【００３１】
操作部材１４はフォーカスリング１２の近くに配置されている。このため、撮影画面内の合焦対象領域Ｓを移動させる操作から、合焦具合を手動で調節する際のフォーカスリング１２の回転操作へ瞬時に移行することが容易であり、円滑に撮影することができる。また、操作部材により合焦対象領域を所望の位置へ直接的に移動させることができるため、合焦対象領域の候補を順次選択する場合に比べて素早く操作することができる。
【００３２】
自動合焦レンズ装置をテレビカメラ等の撮像装置に接続してなる本発明のカメラシステムによれば、操作部材により合焦対象領域を所望の位置へ直接的に移動させることができる。このため、合焦対象領域を順次選択移動させたときのような映像の乱れを生じさせることもない。
【００３３】
（実施例）
図７は実施例の要部の縦断面図であり、参考例と同一符号は同じ部材を示している。本実施例の操作部材は外側操作部材（第二の操作部材）４１と内側操作部材（第一の操作部材）４２の二体に分けられている。外側操作部材４１と内側操作部材４２は嵌合され、一体として光軸Ｏと直交する方向に移動可能とされており、更に外側操作部材４１は内側操作部材４２に対し光軸Ｏの周方向に摺動可能となっている。外側操作部材４１の内周と内側操作部材４２の外周には少なくとも１対の円弧溝４１ａ、４２ａが設けられており、これらの円弧溝４１ａと円弧溝４２ａによって形成される円周方向の空間内には、圧縮コイルばね４３が内蔵されている。
【００３４】
内側操作部材４２には、レバー式の検出スイッチ４４が固定されており、この検出スイッチ４４は中立復帰機構を内蔵したレバー部４５を有している。外側操作部材４１の中立位置を基準とした右回り、左回りの移動に対応して、レバー部４５が所定の回転角に達すると、それぞれ異なる電気的信号を発するようにされている。
【００３５】
図８は検出スイッチ４４周辺の平面図である。円弧溝４１ａの端面４１ｂ、４１ｃと円弧溝４２ａの端面４２ｂ、４２ｃは、内蔵されている圧縮コイルばね４３によって押圧されており、外側操作部材４１の中立状態においては、端面４１ｂと端面４２ｂ、端面４１ｃと端面４２ｃはそれぞれ一致している。このとき、検出スイッチ４４のレバー部４５は、外側操作部材４１の内径部の一部に設けられた突起４１ｄと突起４１ｅの間に挟まれ、中立位置にある。
【００３６】
上述の構造により、外側操作部材４１を内側操作部材４２に対して相対的に撮影者視点の右回りに回転させると、操作部材４１、４２の位置関係は図９に示すような状態となる。即ち、検出スイッチ４４のレバー部４５は外側操作部材４１の突起４１ｅに当接し、左回りに回転する。レバー部４５の回転角が所定角度に達すると、検出スイッチ４４から左回りの検出信号が発せられる。
【００３７】
一方、図９において圧縮コイルばね４３は、端面４１ｃと端面４２ｂにより中立状態よりも圧縮された状態となる。外側操作部材４１を回転させる操作力を解除すると、圧縮コイルばね４３の復元力により外側操作部材４１は直ちに中立位置に復帰し、検出スイッチ４４の出力はオフとなる。同様に、外側操作部材４１を内側操作部材４２に対して相対的に撮影者視点の左回りに回転させると、検出スイッチ４４から右回りの検出信号が発せられる。
【００３８】
図１０は実施例における電気的ブロック構成図であり、参考例と同一要素は同一符号で示している。合焦対象領域操作部において、外側操作部材４１、内側操作部材４２の操作を検出する接触スイッチ２０ａ〜２０ｄの出力、及び検出スイッチ４４の出力は領域制御回路３５に接続されている。
【００３９】
領域制御回路３５はその出力がＡＦ回路３３に接続されていると共に、領域情報記録部５１と接続されている。そして、領域情報記録部５１には、レンズ装置に備えられた初期化スイッチ５２、設定入力部５３の出力が接続されている。
【００４０】
領域制御回路３５では、検出スイッチ４４の左回りの検出信号により合焦対象領域Ｓの大きさが一段階拡大、右回りの検出信号により、合焦対象領域Ｓの大きさが一段階縮小する内容の演算が加えられている。
【００４１】
領域情報記録部５１には、合焦対象領域Ｓの位置又は大きさに関する既定値と、領域制御回路３５からの合焦領域情報が記憶されており、この領域制御回路３５からの合焦領域情報は更新される度に上書きされている。また、合焦対象領域Ｓの位置又は大きさに関する既定値は、設定入力部５３を介して任意に変更可能となっている。なお、領域情報記録部５１はレンズ装置の電源をオフとした休止時においても、記憶した情報を保持できる。
【００４２】
領域情報記録部５１に記憶されている既定値は、レンズ装置に備えられた初期化スイッチ５２がオンとなると、ＡＦ回路３３と画像処理部３４に合焦対象領域情報として伝達される。一方、レンズ装置を休止状態から再び起動する際には、休止時に領域情報記録部５１に保持されていた領域制御回路３５からの休止直前の合焦領域情報が、同様にＡＦ回路３３と画像処理部３４に伝達される。
【００４３】
このように構成された本実施例では、参考例と同様に外側操作部材４１に撮影者視点の上下左右の方向に力を加えると、操作部材４１、４２は一体となって径方向に移動し、撮影画面内の合焦対象領域Ｓを上下左右方向に移動させることができる。
【００４４】
一方、外側操作部材４１に撮影者視点の右回りの方向に力を加えると、外側操作部材４１のみが右回りに回転し、ビューファインダ３６上に表示されている合焦対象領域Ｓの大きさが一段階拡大される。
【００４５】
外側操作部材４１への操作力を解除して操作部材４１、４２を中立位置に戻し、再び同方向に外側操作部材４１を回転させると、合焦対象領域Ｓの大きさは更に拡大される。同様に、合焦対象領域Ｓの縮小は外側操作部材４１を撮影者視点における左回りの方向に回転操作することによって実現される。
【００４６】
実施例における外側操作部材４１はフォーカスリング１２の近くに配置されている。このため、合焦対象領域Ｓを移動させる操作及び合焦対象領域Ｓの大きさを変更する操作から、合焦具合を手動で調節する際のフォーカスリング１２の回転操作へ瞬時に移行することが容易であり、円滑に撮影を行うことができる。任意の範囲に変更した合焦対象領域Ｓは、初期化スイッチ５２をオンとすることにより、直ちに予め設定した既定の領域条件に変更することができる。
【００４７】
なお、初期化スイッチ５２の操作から既定の領域条件に合焦対象領域を変更する時間は、特に限定されるものではない。合焦領域の変更に要する時間や速度を任意に設定可能とし、合焦領域の変更を滑らかに行うことで所望の映像効果が得られる構成も本発明に含まれる。
【００４８】
また、レンズ装置を休止状態としても合焦対象領域Ｓの領域情報が領域情報記録部５１により保持されるため、電源再投入時には休止直前の撮影条件を引き継いで撮影を開始することができる。ここで、本実施例ではレンズ装置起動時の合焦対象領域に初期選択領域が休止直前の撮影条件と同一となる構成としたが、初期選択領域を一定とし、その領域条件を任意に設定可能な構成とすることも有効である。
【００４９】
なお、実施例における操作部材４１、４２の操作方向と合焦対象領域Ｓの変化との対応は、操作方向が上記の説明と逆方向であってもよい。また、操作部材４１、４２の操作方向と合焦対象領域Ｓの変化との対応を任意に設定可能な構成とすることもできる。
【００５０】
また、実施例においては、操作部材４１、４２に与えられた操作を検知する接触スイッチ２０ａ〜２０ｄ及び検出スイッチ４４から発せられる１回の検出信号に対し、一定の変化量で合焦対象領域Ｓを変更することを対応させている。これを、検出信号が発せられている間は連続的に合焦対象領域Ｓが変更される構成としても支障はない。例えば、操作部材４１、４２を押圧操作し続けた場合に、撮影画面内の合焦対象領域Ｓが同一方向に連続的に移動するようにすることも可能である。
【００５１】
更に、実施例では操作部材４１、４２の回転操作に合焦対象領域Ｓの大きさの変更機能を割り当てているが、操作部材４１、４２の回転操作に割り当てる機能はこれに限定されるものではない。例えば、合焦対象領域Ｓのアスペクト比や形状を変更する機能を割り当ててもよく、また合焦対象領域Ｓの位置を撮影画面内で固定／固定解除する機能を割り当てることもできる。
【００５２】
操作部材１４を光軸Ｏに直交する方向へ直線移動させる参考例と、光軸Ｏを中心とした回転操作を含む実施例について説明したが、光軸Ｏと平行方向へ移動させる構成としてもよい。
【００５３】
上述した参考例及び実施例においては、操作部材の形態を環状としているが、操作部材は円環の一部を欠いた円弧状の形態であってもよい。また、操作部材の外周部を、操作する手指の形状に適合させるような形状としても支障はない。
【００５４】
更に、参考例及び実施例の検出装置はスイッチであるが、フォトリフレクタ、フォトインタラプタ、エンコーダ、ポテンショメータなどのセンサを用いることもできる。これらのセンサにより検知した操作部材の位置や移動量や速度等に基づいて合焦対象領域Ｓの移動や大きさの変更を制御する構成であってもよい。なお、操作部材の操作を検知する検出手段は、レンズ装置のグリップ部に内蔵することもできる。
【００５５】
また、操作部材の配置は、上述の参考例及び実施例のようなフォーカスリング１２に近接する位置に限定されるものではない。操作部材の配置はレンズ装置の鏡筒１１の外周上の一部とし、例えばズームリング１３やアイリスリング１４に近接する位置であってもよい。更には、フォーカスリング１２などの操作リングの外周上に配設される構成であっても支障はない。
【図面の簡単な説明】
【００５６】
【図１】参考例の平面図である。
【図２】要部の横断面図である。
【図３】要部の縦断面図である。
【図４】図２の部分拡大図である。
【図５】電気的ブロック構成図である。
【図６】合焦対象領域の移動の説明図である。
【図７】実施例の要部の縦断面図である。
【図８】検出スイッチ周辺の平面図である。
【図９】検出スイッチの作用説明図である。
【図１０】電気的ブロック構成図である。
【図１１】レンズ装置の使用形態の説明図である。
【図１２】従来例の平面図である。
【符号の説明】
【００５７】
１１  固定鏡筒
１２  フォーカスリング
１３  ズームリング
１４  操作部材
１５  グリップ部
１９  板ばね
２０  接触スイッチ
２１  突部
２２  十字溝
３１  合焦用レンズ群
３２  撮像素子
３３  ＡＦ回路
３４  画像処理部
３５  領域制御回路
３６  ビューファインダ
３７  駆動装置
４１  外側操作部材（第二の操作部材）
４２  内側操作部材（第一の操作部材）
４３  圧縮コイルばね
４４  検出スイッチ
５１  領域情報記録部
５２  初期化スイッチ
５３  設定入力部
Ｓ  合焦対象領域
【図１】
0004785619.tif 000002
【図２】
0004785619.tif 000003
【図３】
0004785619.tif 000004
【図４】
0004785619.tif 000005
【図５】
0004785619.tif 000006
【図６】
0004785619.tif 000007
【図７】
0004785619.tif 000008
【図８】
0004785619.tif 000009
【図９】
0004785619.tif 000010
【図１０】
0004785619.tif 000011
【図１１】
0004785619.tif 000012
【図１２】
0004785619.tif 000013